(57)【要約】【課題】良好な再生音質を常に維持しながら、帰還方式の組み合わせに応じて異なる聞こえ方をする再生音の違いが選択できるようにする。【解決手段】ＭＦＢの信号処理系をデジタル回路により構成し、複数の帰還方式のうちでオンとすべき帰還方式の組み合わせを切り換える可能に構成する。さらに、オンとすべき帰還方式の組み合わせを切り換えるのに応じて、スピーカにて再生される音の周波数特性を補正するイコライジング特性についても切り換えるように構成する。【選択図】図１
2010288119.tif 000002
【特許請求の範囲】
【請求項１】
それぞれが異なる帰還方式である第１〜第ｎの帰還方式に対応してスピーカの振動板の動きを検出するようにして設けられる１以上の検出手段と、
上記検出手段により検出して得られた１以上のアナログ形式の検出信号を、それぞれデジタル形式に変換するアナログ-デジタル変換手段と、
上記アナログ-デジタル変換手段により得られるデジタル形式の検出信号を利用して、上記第１〜第ｎの帰還方式ごとに応じた帰還信号を生成する帰還信号生成手段と、
上記スピーカの駆動信号として出力されるべきデジタル形式のオーディオ信号に対して、上記帰還信号を合成する合成手段と、
上記デジタル形式のオーディオ信号の周波数特性を可変するもので、上記スピーカにより再生される音を目標周波数特とするためのイコライジング特性が設定される、補正イコライザ手段と、
上記第１〜第ｎの帰還方式のうちから、上記合成手段によるオーディオ信号への帰還信号の合成までの帰還動作を実行させる帰還方式と、これを実行させない帰還方式とを設定する帰還動作設定手段と、
上記帰還動作設定手段により設定される帰還動作を実行する帰還方式と、実行しない帰還方式との組み合わせに応じて、上記補正イコライザ手段に設定すべきイコライジング特性を変更するイコライジング特性変更設定手段と、
を備える信号処理装置。
【請求項２】
上記帰還信号生成手段においては上記第１〜第ｎの帰還方式に応じた帰還信号ごとに、対応する帰還信号にゲインを与えるゲインコントロール手段が備えられるとともに、
上記スピーカの駆動信号として出力されるべきデジタル形式の測定信号を生成する測定信号生成手段と、
上記測定信号が上記駆動信号として上記スピーカに供給されているときに上記検出手段により検出して得られ、上記アナログ-デジタル変換手段によりデジタル形式に変換された帰還方式ごとの検出信号を入力して、その周波数特性を取得する、周波数特性取得手段と、
上記周波数特性取得手段により取得される帰還方式ごとの検出信号の周波数特性に基づいて、上記ゲインコントロール手段に設定すべき帰還方式ごとのゲインを求めるゲイン調整手段とをさらに備える、
請求項１に記載の信号処理装置。
【請求項３】
上記ゲイン調整手段により求められた新たな帰還方式ごとのゲインと、この新たな帰還方式ごとのゲインが求められるまでにおいて設定されていた帰還方式ごとのゲインとに少なくとも基づいて、上記新たなゲインが上記ゲインコントロール手段に設定されるときに応じた、新たな帰還方式ごとの上記イコライジング特性を求める、イコライジング特性調整手段をさらに備える、
請求項２に記載の信号処理装置。
【請求項４】
上記ゲイン調整手段は、上記周波数特性取得手段により取得される検出信号の周波数特性から、先ず、帰還信号が上記合成手段にて合成されないオープンループのときのゲインを求め、このオープンループのときのゲインを利用した演算により、上記ゲインコントロール手段に設定すべき帰還方式ごとのゲインとして、帰還信号が上記合成手段にて合成されるクローズドループのときのゲインを求める、
請求項２又は請求項３に記載の信号処理装置。
【請求項５】
上記ゲインコントロール手段により帰還信号ごとに与えるゲインを変更設定するゲイン変更設定手段が備えられるとともに、
上記イコライジング特性変更設定手段は、上記帰還動作を実行する帰還方式に対応する帰還信号に与えるゲインが変更設定されるのに応じて、上記補正イコライザ手段に設定すべきイコライジング特性を変更する、
請求項２乃至請求項４の何れかに記載の信号処理装置。
【請求項６】
それぞれが異なる帰還方式である第１〜第ｎの帰還方式に対応してスピーカの振動板の動きを検出するようにして設けられる１以上の検出手段により検出して得られた１以上のアナログ形式の検出信号を、それぞれデジタル形式に変換するアナログ-デジタル変換手順と、
上記アナログ-デジタル変換手順により得られるデジタル形式の検出信号を利用して、上記第１〜第ｎの帰還方式ごとに応じた帰還信号を生成する帰還信号生成手順と、
上記スピーカの駆動信号として出力されるべきデジタル形式のオーディオ信号に対して、上記帰還信号を合成する合成手順と、
上記デジタル形式のオーディオ信号の周波数特性を可変するもので、上記スピーカにより再生される音を目標周波数特とするためのイコライジング特性が設定される、補正イコライザ手順と、
上記第１〜第ｎの帰還方式のうちから、上記合成手順によるオーディオ信号への帰還信号の合成までの帰還動作を実行させる帰還方式と、これを実行させない帰還方式とを設定する帰還動作設定手順と、
上記帰還動作設定手順により設定される帰還動作を実行する帰還方式と、実行しない帰還方式との組み合わせに応じて、上記補正イコライザ手順に設定すべきイコライジング特性を変更するイコライジング特性変更設定手順と、
を実行する信号処理方法。
【発明の詳細な説明】
【技術分野】
【０００１】
本発明は、音声信号を対象として所定目的に応じた信号処理を実行するようにされた信号処理装置とその方法に関する。
【背景技術】
【０００２】
音響の分野においては、以前からＭＦＢ(Motional FeedBack : モーショナルフィードバック)が知られている。ＭＦＢは、スピーカユニットにおける振動板の動きを検出し、入力オーディオ信号に負帰還をかけて、例えばスピーカユニットの振動板と入力オーディオ信号とが同じ動きとなるように制御する技術である。これにより、例えば低域共振周波数f0近辺の振動に対してダンピングが与えられ、聴感上は、いわゆる「ボンつき」などといわれる、好ましくない低域の響きが抑制される。
【先行技術文献】
【特許文献】
【０００３】
【特許文献１】特開平９−２８９６９９号公報
【発明の概要】
【発明が解決しようとする課題】
【０００４】
本願発明としても、これまでのＭＦＢの技術は、単に、スピーカユニットから再生される音質の改善にとどまっている。本願発明としては、ＭＦＢの技術を利用してこれまでにない付加価値的な機能を与えることにより、例えば聴取者であるユーザにとって、より有用なオーディオリスニング環境を提供しようとするものである。
【課題を解決するための手段】
【０００５】
そこで本発明は上記した課題を考慮して、信号処理装置として次のように構成する。
つまり、それぞれが異なる帰還方式である第１〜第ｎの帰還方式に対応してスピーカの振動板の動きを検出するようにして設けられる１以上の検出手段と、検出手段により検出して得られた１以上のアナログ形式の検出信号を、それぞれデジタル形式に変換するアナログ-デジタル変換手段と、上記アナログ-デジタル変換手段により得られるデジタル形式の検出信号を利用して、上記第１〜第ｎの帰還方式ごとに応じた帰還信号を生成する帰還信号生成手段と、上記スピーカの駆動信号として出力されるべきデジタル形式のオーディオ信号に対して、上記帰還信号を合成する合成手段と、上記デジタル形式のオーディオ信号の周波数特性を可変するもので、上記スピーカにより再生される音を目標周波数特とするためのイコライジング特性が設定される、補正イコライザ手段と、上記第１〜第ｎの帰還方式のうちから、上記合成手段によるオーディオ信号への帰還信号の合成までの帰還動作を実行させる帰還方式と、これを実行させない帰還方式とを設定する帰還動作設定手段と、上記帰還動作設定手段により設定される帰還動作を実行する帰還方式と、実行しない帰還方式との組み合わせに応じて、上記補正イコライザ手段に設定すべきイコライジング特性を変更するイコライジング特性変更設定手段とを備えることとした。
【０００６】
上記構成では、ＭＦＢ(Motional FeedBack)の信号処理系として、少なくとも、検出信号から帰還信号を生成して入力オーディオ信号に帰還させる系を、デジタル信号処理(デジタル回路)により構成する。そのうえで、本願発明としては、デジタル信号処理としたことによって内部設定変更、パラメータ変更等が容易に実現可能であることに着目し、複数の帰還方式のうちでオンとすべき帰還方式の組み合わせを切り換える可能に構成する。さらに、オンとすべき帰還方式の組み合わせを切り換えるのに応じて、スピーカにて再生される音の周波数特性を補正するイコライジング特性についても切り換えるようにしている。
【発明の効果】
【０００７】
これにより、本願発明としては、例えばオンとすべき帰還方式の組み合わせの切り換えによって、ＭＦＢのかかりかたの違いに応じて音の聞こえ方の異なる再生音を選択できることになる。また、そのうえで、これに応じて、再生音の周波数特性は、オンとすべき帰還方式の組み合わせに応じて適切となるようにして補正される。つまりオンとすべき帰還方式の組み合わせごとに、最適とされる周波数特性を与えることができ、再生音の音質の良好性が維持される。
このようにして本願発明は、良好な再生音質を常に維持しながら、帰還方式の組み合わせに応じて異なる聞こえ方をする再生音の違いが選択できるという、これまでにはないオーディオの聴き方を提案できる。
【図面の簡単な説明】
【０００８】
【図１】デジタル回路によるＭＦＢ信号処理系としての基本構成例を示す図である。
【図２】本実施形態に対応するデジタル回路によるＭＦＢ信号処理系の構成例を示す図である。
【図３】ＭＦＢオフモードでの、スピーカユニットの再生音の周波数特性を示す図である。
【図４】第１ＭＦＢオンモードでの、スピーカユニットの再生音の周波数特性を示す図である。
【図５】第２ＭＦＢオンモードでの、スピーカユニットの再生音の周波数特性を示す図である。
【図６】ＭＦＢオンモードでイコライザ補正を行った場合の、スピーカユニットの再生音の周波数特性を示す図である。
【図７】ＭＦＢの動作モードごとに応じた音響の相違を、過渡現象により説明する図である。
【図８】モード設定テーブルの内容例を示す図である。
【図９】ゲイン−補正特性テーブルの内容例を示す図である。
【図１０】実施形態の変形例に対応する、ＭＦＢ信号処理系の構成例を示す図である。
【図１１】実施形態に対応する、フィードバックゲイン設定のためのデジタル信号処理部の構成例を示す図である。
【図１２】実施形態に対応する、イコライザ補正特性設定のためのデジタル信号処理部の構成例を示す図である。
【図１３】図１２に示す構成によるイコライザ補正特性設定のための処理手順例を示すフローチャートである。
【図１４】実施形態に対応して、工場出荷時における最初のイコライザ補正特性を設定するための構成例を示す図である。
【図１５】アナログＭＦＢ信号処理系の構成例を示す図である。
【図１６】図１５のＭＦＢ信号処理系をオフとした場合の、スピーカユニットの再生音の周波数特性を示す図である。
【図１７】図１５のＭＦＢ信号処理系をオンとした場合の、スピーカユニットの再生音の周波数特性を示す図である。
【図１８】図１７の特性を補正した周波数特性を示す図である。
【図１９】フィードバックゲイン調整を可能としたアナログＭＦＢ信号処理系の構成例を示す図である。
【図２０】図１９に示すＭＦＢ信号処理系について、フィードバックゲイン調整に対応させて形成した回路形態例を示す図である。
【図２１】図２０示す回路形態でのフィードバックゲインの調整例を説明するための周波数特性図である。
【発明を実施するための形態】
【０００９】
以下、本願発明を実施するための形態（以下、実施形態という）について、下記の順により説明する。
＜１．アナログＭＦＢの構成例＞
＜２．デジタルＭＦＢ：基本構成＞
＜３．デジタルＭＦＢ：実施形態＞
［３−１．構成例］
［３−２．イコライザ補正特性設定］
［３−３．アプリケーション例（第１例）］
［３−４．アプリケーション例（第２例）］
＜４．デジタルＭＦＢ：変形例＞
＜５．フィードバックゲイン調整＞
［５−１．アナログ回路での調整］
［５−２．デジタル回路での調整］
＜６．イコライザ補正特性調整＞
［６−１．アナログ回路での調整］
［６−２．デジタル回路での調整］
【００１０】
＜１．アナログＭＦＢの構成例＞
ＭＦＢ(Motional FeedBack : モーショナルフィードバック)は、スピーカユニットの振動を検出し、スピーカユニットに供給すべき音声信号に対して負帰還をかける技術である。これまでにおいては、ＭＦＢにより、スピーカユニットの振動が入力音声信号に対してより忠実なものとなるように制御して聴感上の音質の改善を図ろうとしていたものである。より具体的には、例えば低域共振周波数f0近辺における、スピーカユニット振動板の不要な振動が抑制されて、いわゆる「ボンつき」といわれる、低域の好ましくない響きが抑えられた音が得られる。
【００１１】
図１５は、ＭＦＢに対応する信号処理系（ＭＦＢ信号処理系）をアナログ回路により構成した場合の例を示している。
この図において、アナログのオーディオ信号は、先ず、低域補正イコライザ１０１により、後述する低域補償が行われて合成器１０２に対して出力される。
【００１２】
合成器１０２は、上記低域補正イコライザ１０１からのオーディオ信号と、ゲイン調整ボリューム１０８からの信号とを入力する。ゲイン調整ボリューム１０８からの信号は、後述するようにして、スピーカユニット１０４の動きを検出したことに基づいて得られる、ＭＦＢの帰還信号である。
合成器１０２は、低域補正イコライザ１０１からのオーディオ信号に、反転した帰還信号を合成する。つまり、オーディオ信号に対して帰還信号により負帰還をかけて出力する。
【００１３】
合成器１０２から出力されるオーディオ信号は、パワーアンプ１０３にて増幅されてスピーカユニット１０４に出力される。これによりスピーカユニット１０４にて、オーディオ信号に応じた音響が再生される。
【００１４】
ＭＦＢに対応して、パワーアンプ１０３からスピーカユニット１０４への駆動信号のラインには、抵抗R1,R2,R3から成るブリッジ回路１０５が設けられ、その出力が検出／増幅回路１０６に入力されるようになっている。
検出／増幅回路１０６は、スピーカユニット１０４におけるボイスコイルにおいて発生する逆起電力を検出して得られる信号を増幅してローパスフィルタ（ＬＰＦ : Low Pass Filter）１０７に出力する。なお、ブリッジ回路１０５により検出される逆起電力は、そのままでは、スピーカユニット１０４の振動板の動きとして、その速度を検出していることに相当する。
【００１５】
ＬＰＦ１０７は、入力された信号から、ＭＦＢの制御には不要な帯域を除去してゲイン調整ボリューム１０８に出力する。
ゲイン調整ボリューム１０８は、例えば、入力信号に対して予め設定されたゲイン値によるゲイン（フィードバックゲイン）を与え、帰還信号として合成器１０２に対して出力する。
【００１６】
ここで、図１６〜図１８に、上記図１５に示したアナログＭＦＢの構成で測定したスピーカユニット１０７の周波数特性を示す。なお、この場合のスピーカユニット１０７における低域共振周波数f0は、８０Hzであるものとする。
図１６は、ＭＦＢを動作させずにオフとしている場合の周波数特性を示している。つまり、オーディオ信号について、低域補正イコライザ１０１による補正をかけることなく、また、合成器１０２により負帰還をかけることなく、そのままパワーアンプ１０３に入力させて増幅し、スピーカユニット１０４を駆動した場合の特性である。
【００１７】
次に、図１７は、ＭＦＢが有効（オン）となっている場合のスピーカユニット１０７の特性を示している。ただし、低域補正イコライザ１０１による低域補償は行っていない状態での特性である。
図１６と図１７とを比較して分かるように、ＭＦＢがオンのときには、ＭＦＢがオフのときよりも、低域共振周波数f0近傍のパワーが抑制されている。これは、ＭＦＢがかけられたことによって、低域共振周波数f0の振動に対して有効にダンピングが与えられたことを示している。
【００１８】
しかし、上記した図１７の周波数特性は、一例として、フラット（平坦）な周波数特性が好ましいとした場合には、低域のパワーが減衰した状態として捉えることもできる。そこで、図１５のＭＦＢの構成では、合成器１０２の前段において低域補正イコライザ１０１を設けることとしている。つまり、この低域補正イコライザ１０１により、入力オーディオ信号について、予め、ＭＦＢにより減衰する低域を補正（帯域補償）しておくようにする。
【００１９】
図１８は、図１５の構成において、ＭＦＢをオンとしたうえで、さらに、低域補正イコライザ１０１による帯域補償を行ったときの周波数特性を示している。
図１８に示される周波数特性は、図１７に対して低域側のパワーが増加しており、全体として、図１７よりもフラット（平坦）な特性が得られている。つまり、低域補正イコライザ１０１の帯域補償によって、周波数特性についての改善が図られている。
【００２０】
例えば、図１５における低域補正イコライザ１０１のイコライジング特性(補正特性)は次のようにして設定する。
先ず、低域補正イコライザ１０１をパスさせたうえでＭＦＢをオンとした状態で、スピーカユニット１０７の周波数特性を測定する。次に、この測定した周波数特性を、例えばフラットなどの目標周波数特性とするための補正量を算出する。つまり、可変対象とする周波数帯域と、その周波数帯域に必要なゲインを求める。そして、この補正量が得られるようにして、低域補正イコライザ１０１に対して、例えば手動でイコライジング特性を設定するものである。
なお、アナログ構成の場合には、ゲインコントロール部１０８についてゲイン値を設定する際にも、例えば手動で行うことになる。
【００２１】
＜２．デジタルＭＦＢ：基本構成＞
上記図１５に示したＭＦＢ信号処理系の構成はアナログ回路によるものであった。これに対して、本実施形態としては、ＭＦＢ信号処理系をデジタル回路により構成する。
先ず、図１は、デジタル方式によるＭＦＢ信号処理系として考えられる基本構成例の１つを示している。なお、この図に示す構成は、オーディオ信号のもとであるオーディオ音源がマルチチャンネル構成である場合には、マルチチャンネルを形成する複数チャンネルのうちの１つのチャンネルに対応したものとなる。
【００２２】
図１において、先ず、アナログのオーディオ信号（入力オーディオ信号）は、ＡＤＣ（Ａ／Ｄコンバータ）１１に対して入力されることで、デジタルのオーディオ信号に変換され、デジタル信号処理部１０に入力される。
【００２３】
この場合のデジタル信号処理部１０は、例えば低域補正イコライザ１２、合成器１３、ＬＰＦ２０、ゲインコントロール部２１から成る。また、デジタル信号処理部１０については、例えばＤＳＰ(Digital Signal Processor)により構成できる。従って、デジタル信号処理部１０における低域補正イコライザ１２、合成器１３、ＬＰＦ２０、ゲインコントロール部２１の各信号処理は、ＤＳＰに実行させるインストラクションなどともいわれるプログラムにより実現できる。
【００２４】
デジタル信号処理部１０に入力されるデジタルのオーディオ信号は、低域補正イコライザ１２を介して合成器１３に出力される。合成器１３は、低域補正イコライザ１２からのオーディオ信号に対して、ゲインコントロール部２１からの帰還信号を反転させて合成する。これにより、オーディオ信号に対して、ボイスコイルに発生した逆起電力の検出に応じた負帰還がかけられることになる。
合成器１３から出力されるデジタルのオーディオ信号は、デジタル信号処理部１０の出力としてＤＡＣ（Ｄ／Ａコンバータ）１４に対して入力される。
【００２５】
ＤＡＣ１４は、入力されるデジタルのオーディオ信号をアナログ形式に変換してパワーアンプ１５に出力する。
パワーアンプ１５は、アナログのオーディオ信号を増幅して、スピーカ駆動信号として、スピーカユニット(スピーカ)１６に供給する。スピーカ駆動信号により駆動されるスピーカユニット１６からは、入力オーディオ信号に応じた音の再生が行われる。
【００２６】
ＭＦＢにおけるスピーカユニット１６の振動板の動きを検出する方式としては、いくつか知られているが、ここでは、ブリッジ検出方式を採用している。ブリッジ検出方式では、パワーアンプ１５とスピーカユニット１６との間のスピーカ駆動信号のラインに対して、図示するようにして、ブリッジ回路１７を設ける。このブリッジ回路１７は、例えば図示するようにして抵抗R1,R2,R3を備え、これらの抵抗を図示するようにしてブリッジ接続して形成される。
【００２７】
検出／増幅回路１８は、ブリッジ回路１７における抵抗R1,R2の接続点と、スピーカユニット１６と抵抗R3との接続点との間の電位を検出することで、スピーカユニット１６においてスピーカ駆動信号が流れるボイスコイルに発生している逆起電力を検出する。ここで検出する逆起電力量が、スピーカユニット１６における振動板の振動、即ち動きに相当する。特に、低域共振周波数f0近傍の振動板の動きに相当する。
この場合の検出／増幅回路１８は、検出信号について増幅を行ったうえでＡＤＣ（Ａ／Ｄコンバータ）１９に対して出力する。
【００２８】
ＡＤＣ１９は、検出／増幅回路１８から出力されるアナログの検出信号をデジタル信号に変換して、デジタル信号処理部１０に対して出力する。
【００２９】
デジタル信号処理部１０において、ＡＤＣ１９からのデジタルの検出信号は、ＬＰＦ(Low Pass Filter)２０に対して入力される。ＬＰＦ２０は、例えばＦＩＲフィルタなどにより形成され、所定周波数以下の帯域信号成分のみを通過させることで、ＭＦＢの制御では不要な高周波成分を除去する。ＬＰＦ２０を通過した信号は、ゲインコントロール部２１に入力される。
ゲインコントロール部２１は、入力信号について、例えばフィードバック量に応じたゲイン（フィードバックゲイン）を設定し、帰還信号として合成器１３に対して出力する。
なお、このようにして、ブリッジ検出方式に応じてブリッジ回路１７により検出して得られる信号は、そのままでは、振動板の動きとして、その速度を示すものとなる。そして、この検出信号を、そのままＬＰＦ２０により帯域制限して得られる帰還信号は、速度検出に応じて生成されたものとなる。つまり、図１に示すＭＦＢの方式(帰還方式：帰還制御方式)は、速度帰還型といわれるものに対応する。
【００３０】
合成器１３においては、低域補正イコライザ１２からのオーディオ信号に対して、上記帰還信号の位相を反転させて合成する。これにより、速度帰還型としての負帰還の動作が得られることになる。
【００３１】
この場合の合成器１３の出力は、デジタル信号処理部１０の出力オーディオ信号として、ＤＡＣ(Ｄ／Ａコンバータ)１４に入力され、アナログのオーディオ信号に変換される。
パワーアンプ１５は、ＤＡＣ１４からのアナログのオーディオ信号を増幅し、スピーカ駆動信号としてスピーカユニット１６のボイスコイルに供給する。
このようにスピーカ駆動信号が供給されることで、スピーカユニット１６からは入力オーディオ信号に応じた音響が再生されることになる。このときのスピーカ駆動信号の基であるオーディオ信号には速度帰還がかけられていることに応じて、例えば主に低域共振周波数f0近傍に応じたスピーカユニット１６の振動板の動きに対して制動がはたらく。即ち、ＭＦＢがかけられる。これにより、例えば、スピーカユニット１６にて再生される音響が改善される。
また、先に述べたように、単にＭＦＢがかけられることによっては、低域共振周波数f0近傍のパワーが低下する傾向の周波数特性になる。この周波数特性についての補正、補償は、デジタル信号処理部１０における低域補正イコライザ１２により行う。つまり、低域補正イコライザ１２には、単にＭＦＢがかけられたときに得られる周波数特性を、目標の周波数特性（例えばフラットな特性）に補正するためのイコライジング特性(補正特性)を与える。これにより、低域補正イコライザ１２を通過するオーディオ信号は、予め、ＭＦＢがかけられることにより減衰する帯域のパワーが持ち上げられるようにしてイコライジングされることになる。この結果、スピーカユニット１６にて再生される音については、ＭＦＢがかけられているのに関わらず、所望の周波数特性を得ることができる。
【００３２】
＜３．デジタルＭＦＢ：実施形態＞
［３−１．構成例］
上記図１のようにして、ＭＦＢの信号処理系をデジタル回路により構成することで、物理的な部品素子の定数の変更、交換などを行うことなく、特性や動作モードの変更、切り換えを行うことが可能になる。これは、例えば、デジタル信号処理系をＤＳＰにより構成する場合には、ＤＳＰに与えるべきプログラムについて、所要のパラメータ、定数を変更設定するように記述するなど、容易に実現できる。例えば図１５のようにアナログ回路により構成した場合、このようなパラメータ、定数の変更設定を、特性、動作モードの切り換えに応じて適切に自動変更することは非常に難しい。
【００３３】
ＭＦＢの本来の目的は、スピーカユニットの振動板の振動、動きについてできるだけ入力オーディオ信号に忠実となるようにして制御することで、音響再生の忠実度、音質の向上を図ろうとするものではある。
本実施形態としては、上記のＭＦＢ本来の目的である忠実度、音質の向上を図ったうえで、さらに、ＭＦＢをデジタル回路により構成したことに応じて獲得できる上記の利点をより有効に活用するための構成を提案する。
【００３４】
図２は、本実施形態としてのＭＦＢ信号処理系の構成例を示している。この図に示す実施形態としてのＭＦＢ信号処理系もデジタル回路による構成を含むものであり、図１と同一部分については同一符号を付して説明を省略する。
【００３５】
図２に示されるデジタル信号処理部１０においては、図１に示される構成に対して、微分処理部２２、ＬＰＦ２３、ゲインコントロール部２４が追加される。
微分処理部２２には、ＡＤＣ１９からＬＰＦ２０に入力されるデジタル形式のオーディオ信号がさらに分岐して入力される。微分処理部２２は、入力されるオーディオ信号について微分演算処理を実行してＬＰＦ２３に出力する。前述もしたように、ブリッジ回路１７により逆起電力を検出して得られる信号は、振動板の動きとして、その速度を示す信号であるとしてみることができる。微分処理部２２は、この速度に相当する検出信号を微分していることになる。つまり、微分処理部２２により得られる信号（微分値）は、振動板の動きとして、その加速度を求めていることに相当し、加速度に対応した検出信号であることになる。ＬＰＦ２３は、入力された微分信号、即ち、加速度の検出信号について、加速度帰還制御に不要な高周波帯域成分を除去してゲインコントロール部２４に出力する。ゲインコントロール部２４は、入力される信号に所要のフィードバックゲインを与えて、加速度帰還型に対応する帰還信号として合成器１３に出力する。
【００３６】
この場合の合成器１３は、低域補正イコライザ１２からのオーディオ信号に対して、ゲインコントロール部２１から出力される速度帰還型に対応した帰還信号と、ゲインコントロール部２４から出力される加速度帰還型に対応した帰還信号との両者を負帰還により合成することができる。つまり、図２に示す構成では、ＭＦＢとして速度帰還型と加速度帰還型とを併用した制御を実行可能とされている。
【００３７】
なお、速度帰還型のＭＦＢ信号処理系は、合成器１３からオーディオ信号が出力されて、合成器１３に帰還信号が帰還されるまでのクローズドループの系において、ＬＰＦ２０及びゲインコントロール部２１側の信号処理系を有して形成されるものとみることができる。
一方、加速度帰還型のＭＦＢ信号処理系は、上記クローズドループの系において、微分処理部２２、ＬＰＦ２３、及びゲインコントロール部２４側の信号処理系を有して形成されるものとみることができる。
【００３８】
図２に示す構成においては、上記のようにして、デジタル信号処理系であるデジタル信号処理部１０において、速度帰還型に対応するＬＰＦ２０、ゲインコントロール部２１の系と、加速度帰還型に対応する微分処理部２２、ＬＰＦ２３、及びゲインコントロール部２４側の系とを備えている。このことは、例えば動作モード切り換えの一態様として、速度帰還型のみによる動作モード、加速度帰還型のみによる動作モード、また、速度帰還型と加速度帰還型の両者を有効にした動作モードとの間での切り換えが可能であることを意味する。先にも述べたように、デジタル回路であれば、このような動作モードの切り換えは容易に実現できる。
【００３９】
より具体的には、速度帰還型のみによる動作とする場合には、微分処理部２２、ＬＰＦ２３、及びゲインコントロール部２４に相当する信号処理を実行せずに、ＬＰＦ２０、ゲインコントロール部２１に相当する信号処理を実行させる。また、合成器１３においては、低域補正イコライザ１２からのオーディオ信号に、ゲインコントロール部２１からの帰還信号のみを位相反転させて合成すればよい。
また、加速度帰還型のみによる動作とする場合には、微分処理部２２、ＬＰＦ２３、及びゲインコントロール部２４に相当する信号処理を実行させる一方、ＬＰＦ２０、ゲインコントロール部２１に相当する信号処理は実行させないようにする。また、合成器１３においては、低域補正イコライザ１２からのオーディオ信号に、ゲインコントロール部２４からの帰還信号のみを位相反転させて合成する。
さらに、速度帰還型と加速度帰還型とを共に動作させる場合には、ＬＰＦ２０、ゲインコントロール部２１に相当する信号処理と、微分処理部２２、ＬＰＦ２３、及びゲインコントロール部２４に相当する信号処理との両者を実行させる。合成器１３においては、低域補正イコライザ１２からのオーディオ信号に、ゲインコントロール部２１及びゲインコントロール部２４からの２つの帰還信号を位相反転させて合成する。
【００４０】
ここで、上記したＭＦＢの動作モードの切り換えとして、先ず、ＭＦＢのオン／オフが可能であることとする。なお、図２においてＭＦＢをオフとする動作モード（ＭＦＢオフモード）の場合には、入力オーディオ信号をＡＤＣ１１によりデジタル形式に変換してデジタル信号処理部１０に入力させたうえで、ＭＦＢに関連するデジタル信号処理を施すことなく（他の所要のデジタル信号処理については適宜実行してよい）、ＤＡＣ１４に出力させるようにすればよい。
また、ＭＦＢがオンの場合としては、さらに、速度帰還型のみを動作させるモード（第１ＭＦＢオンモード）と、速度帰還型と加速度帰還型とを共に動作させるモード（第２ＭＦＢオンモード）との間で切り換えを行うものとする。ただし、ここでの説明にあたっては、便宜上、ゲインコントロール部２１、２４にて設定されるゲイン値については、それぞれ最適であるとして選定した１つの値が設定されているものとする。
【００４１】
なお、図２に示す構成を採る装置の実際として、代表的なものの１つとしては、アクティブスピーカなどを挙げることができる。
【００４２】
［３−２．イコライザ補正特性設定］
図２の構成では、低域補正イコライザ１２も例えばＦＩＲ(Finite Impulse Response)フィルタ、若しくはＩＩＲ(Infinite Impulse Response)フィルタなどとして、デジタルにより形成されていることから、その補正特性の変更設定が容易に可能となっている。そこで、上記のＭＦＢ動作モード切り換えが行われることを前提にして、低域補正イコライザ１２の補正特性の設定例について説明する。
【００４３】
先ず、図３は、図２に示すＭＦＢ信号処理系において、速度帰還型と加速度帰還型との何れのＭＦＢについてもオフとした、ＭＦＢオフモードの場合の、スピーカユニット１６の周波数特性を示している。
また、図４は、図２に示すＭＦＢ信号処理系において、速度帰還型によるＭＦＢはオン、加速度帰還型によるＭＦＢはオフとした、第１ＭＦＢオンモードの場合の、スピーカユニット１６の周波数特性を示している。ただし、入力オーディオ信号に対して低域補正イコライザ１２による帯域補正はかけられていない。
図５は、図２に示すＭＦＢ信号処理系において、速度帰還型によるＭＦＢと、加速度帰還型によるＭＦＢの何れもオンとした、第２ＭＦＢオンモードの場合の、スピーカユニット１６の周波数特性を示している。この図の場合も、図４と同様に、入力オーディオ信号に対して低域補正イコライザ１２による帯域補正はかけられていない。
【００４４】
これらの図から分かるように、図４の第１ＭＦＢオンモードと図５の第２ＭＦＢオンモードの何れの場合も、図３のＭＦＢオフモードのときと比較した場合には、低域共振周波数f0近傍のパワーが低減している。つまり、第１ＭＦＢオンモードと第２ＭＦＢオンモードとの何れの場合においても、ＭＦＢとしての帰還制御によるスピーカユニット振動板の制動が効いていることが示されているものであり、これが再生される音響についての改善が図られることの根拠となる。
【００４５】
ただし、同じＭＦＢオンモードにおいて、第１ＭＦＢオンモードである図４の特性と、第２ＭＦＢオンモードである図５とを比較してみても、両者の特性が相応に異なっていることが分かる。例えば低域共振周波数f0近傍のパワーについては、図５に示される第２ＭＦＢオンモードのほうが強めの傾向となっている。このような相違は、第１ＭＦＢオンモードと第２ＭＦＢオンモードとで、帰還制御の条件が異なることに起因している。
【００４６】
次に、この場合の低域補正イコライザ１２としては、第１ＭＦＢオンモードに対応する図４の特性と、第２ＭＦＢオンモードに対応する図５の特性とのそれぞれに対応させて、何れもが目標周波数特性となるようにして２つのイコライザの補正特性を決定すべきことになる。
ここでの目標周波数特性としてはフラット（平坦）であるものとする。つまり、第１ＭＦＢオンモードと第２ＭＦＢオンモードとの何れの動作モードにおいても、スピーカユニット１６にて再生される音の周波数特性としては、最終的にフラットな特性が得られるようにする。
【００４７】
この場合において、第１ＭＦＢオンモードと第２ＭＦＢオンモードとでは、図４と図５に示すようにして周波数特性が異なる。従って、スピーカユニット１６について、第１ＭＦＢオンモードと第２ＭＦＢオンモードとでともにフラットな周波数特性を得るためには、第１ＭＦＢオンモードのときと、第２ＭＦＢオンモードのときとで、それぞれ、異なる補正特性を設定すべきことになる。つまり、第１ＭＦＢオンモードに対応しては、図４に示すようにして測定された周波数特性をフラットとするための可変対象周波数、また可変対象周波数に与えるゲインなどのパラメータを求め、このパラメータに基づいて補正特性を決定する。同様にして、第２ＭＦＢオンモードに対応しては、図５に示す周波数特性をフラットとするための可変対象周波数、可変対象周波数に与えるゲインなどのパラメータを求め、このパラメータに基づいて補正特性を決定する。
そして、実際のＭＦＢ信号処理系の動作中においては、先ず、動作モードとして第１ＭＦＢオンモードが設定されているときには、第１ＭＦＢオンモードに対応した補正特性が設定されるように低域補正イコライザ１２のパラメータをセットする。同じく、第２ＭＦＢオンモードが設定されているときには、第２ＭＦＢオンモードに対応した補正特性が設定されるように、低域補正イコライザ１２に対してパラメータをセットする。
これにより、第１ＭＦＢオンモードと第２ＭＦＢオンモードの何れが設定されているときにも、スピーカユニット１６の周波数特性としては、例えば図６に示すようにして、低域のパワーが持ち上げられるようにして補正されたフラットな特性が得られることになる。
なお、ＭＦＢオフモードのときには、入力オーディオ信号が低域補正イコライザ１２をパスするようにして設定する。
【００４８】
［３−３．アプリケーション例（第１例）］
ところで、上記のようにして第１ＭＦＢオンモードのときと第２ＭＦＢオンモードのときとで共にフラットな周波数特性に補正したとしても、実際にスピーカユニット１６から再生される音の聞こえ方は、第１ＭＦＢオンモードと第２ＭＦＢオンモードとで明確に異なる。この現象については本願発明者等も実際に確認している。
【００４９】
このような結果は、例えば１つには、第１ＭＦＢオンモードと第２ＭＦＢオンモードとで帰還制御の条件が異なることにより、たとえ測定される周波数特性が同じとなるように補正されたとしても、実際のスピーカユニット１６の振動板に対する制動の状態に相違のあることが挙げられる。
このようなスピーカユニット１６の振動板の制動の状態の違いを、過渡現象としてみた場合には、例えば図７のようになる。なお、図７はあくまでも動作モードごとの過渡現象の違いを分かりやすく示すための模式的なものである。
図７（ａ）は、図３に対応するＭＦＢオフモードのときに対応する特性を示し、図７（ｂ）は、図４に対応する第１ＭＦＢオンモードのときに対応する特性を示し、図７（ｃ）は、図５に対応する第２ＭＦＢオンモードのときに対応する特性を示している。これらの図は、例えばスピーカユニット１６への駆動信号の供給を時間０のタイミングで停止させた直後の振動板の動き（低域共振周波数f0近傍）を測定したものとして捉えることができる。
【００５０】
ＭＦＢオフモードの場合には、ＭＦＢによるダンピングが効いていないために、図７（ａ）のようにして、時間０を経過した後において、徐々に振幅が減衰していく特性となる。
これに対して図７（ｂ）に示す第１ＭＦＢオンモードでは、速度帰還型のＭＦＢによるダンピングがかかっていることで、図７（ａ）よりも時間０から短時間で振幅が減衰している。これは、例えばいわゆる「ボンつき」といわれる音の響き方が抑制されるようにして改善されていることを表している。
また、図７（ｃ）に示す第２ＭＦＢオンモードにおいても、時間０から短時間で振幅が減衰しているが、若干、図７（ｂ）の場合よりも振幅が減衰する時間が長くなっているようなイメージとなっている。あくまでも１つの表現であるが、これは、図７（ｂ）の場合と同様に「ボン付き」は抑制されているが、図７（ｂ）の場合と比較して、若干の残響感のようなものが残っているという聞こえ方になる。
【００５１】
このようにして、第１ＭＦＢオンモードと第２ＭＦＢオンモードとでは、周波数特性を同じに補正したとしても、スピーカユニット１６にて再生される音についての聴感上での印象、聞こえ方には相違が現れる。
【００５２】
このような第１ＭＦＢオンモードと第２ＭＦＢオンモードとでの音の聞こえ方の違いに関しては、例えばどちらが絶対的に良いというものではなく、聴取者それぞれの好みによって、どちらが好ましいかが異なってくるものであるとみることができる。また、同じ聴取者であっても、再生している音源の種類、例えばジャンルなどに応じて、好ましいと思えるモードが違ってくる場合もあると考えられる。
この観点からすると、デジタル回路によりＭＦＢ信号処理系を構成した場合において、ユーザ操作に応じて、第１ＭＦＢオンモードと第２ＭＦＢオンモードとの切り換えを行えるようにしたアプリケーションを考えることができる。
つまり、ＭＦＢのオン／オフ切り換えに加えて、ＭＦＢをオンとするのにあたり、音の好みに応じて、第１ＭＦＢオンモードと第２ＭＦＢオンモードとを任意に選択して切り換えられるようにしたる操作が行えるようにするものである。
【００５３】
このようなＭＦＢの動作モード切り換え操作に応じては、例えばデジタル信号処理部１０により、図８に示すモード設定テーブルのデータを保持しておくようにする。
図８に示すモード設定テーブルにおいては、先ず、ＭＦＢオフモード、第１ＭＦＢオンモード、第２ＭＦＢオンモードの動作モードの項目が規定されている。ＭＦＢに関する操作としては、これらの動作モードのうちの何れか１つを選択できるようになっている。そして、これらの動作モードごとに、速度帰還型ＭＦＢのオン／オフ設定内容、加速度帰還型ＭＦＢのオン／オフ設定内容、及び低域補正イコライザ１２に設定すべきイコライザ補正特性が対応付けられる。
【００５４】
図８において、ＭＦＢオフモードに対応しては、速度帰還型ＭＦＢはオフ、加速度帰還型ＭＦＢもオフとすべきことが示されている。また、イコライザ補正特性については、低域補正イコライザ１２をパスさせるべきことが示されている。
また、第１ＭＦＢオンモードに対応しては、速度帰還型ＭＦＢはオン、加速度帰還型ＭＦＢはオフとすべきことが示されている。また、イコライザ補正特性については、図においては「特性１」と記載されているが、実際においては、第１ＭＦＢオンモードに対応して例えば周波数特性をフラットとするための補正特性（イコライジング特性）として、可変対象周波数、可変対象周波数のゲインなどのパラメータが指定されている。
また、第２ＭＦＢオンモードに対応しては、速度帰還型ＭＦＢはオン、加速度帰還型ＭＦＢもオンとすべきことが示されている。「特性２」と記載されているイコライザ補正特性については、第２ＭＦＢオンモードに対応して周波数特性をフラットとするための補正特性のパラメータが指定されている。
【００５５】
ここで、ユーザ操作により、ＭＦＢオフモードが選択されたとする。これに応じて、例えばＤＳＰとしてのデジタル信号処理部１０は、図８のモード設定テーブルを参照して、ＭＦＢオフモードに対応付けられている速度帰還型ＭＦＢのオン／オフ設定内容、加速度帰還型ＭＦＢのオン／オフ設定内容、及びイコライザ補正特性を認識する。そして、速度帰還型ＭＦＢはオフ、加速度帰還型ＭＦＢはオフ、低域補正イコライザ１２はパスさせるように信号処理系を設定する。これにより、ＭＦＢオフのデジタル信号処理系が形成される。
また、第１ＭＦＢオンモードが選択されたことに応じては、デジタル信号処理部１０は、モード設定テーブルにおいてＭＦＢオフモードに対応付けられている速度帰還型ＭＦＢのオン／オフ設定内容、加速度帰還型ＭＦＢのオン／オフ設定内容、及びイコライザ補正特性に従って信号処理系を形成する。つまり、デジタル信号処理部１０において、速度帰還型ＭＦＢはオン、加速度帰還型ＭＦＢはオフとなるようにしてクローズドループを形成し、さらに、低域補正イコライザ１２に対しては、特性１として示されるパラメータを設定する。
また、第２ＭＦＢオンモードが選択されたことに応じては、デジタル信号処理部１０は、モード設定テーブルにおいてＭＦＢオフモードに対応付けられている速度帰還型ＭＦＢのオン／オフ設定内容、加速度帰還型ＭＦＢのオン／オフ設定内容、及びイコライザ補正特性に従って信号処理系を形成する。つまり、デジタル信号処理部１０において、速度帰還型ＭＦＢと加速度帰還型ＭＦＢとが何れもオンとなるようにしてクローズドループを形成し、さらに、低域補正イコライザ１２に対しては、特性２として示されるパラメータを設定する。
【００５６】
［３−４．アプリケーション例（第２例）］
上記図８のモード設定テーブルに対応した第１例のアプリケーションでは、第１ＭＦＢオンモードと第２ＭＦＢオンモードとで、それぞれ、ゲインコントロール部２１、２４において設定されるゲイン（フィードバックゲイン）は単一で固定であることを前提としていた。
しかし、デジタル回路であるデジタル信号処理部１０において備えられるゲインコントロール部２１，２４に関しては、そのゲイン値のパラメータについても容易に変更設定することが可能である。すると、例えば、速度帰還型ＭＦＢと加速度帰還型ＭＦＢとをともにオンとする動作モードにおいて、ゲインコントロール部２１，２４における各ゲインを設定することで、速度帰還型ＭＦＢの帰還量（フィードバック量）と加速度帰還型ＭＦＢの帰還量とを適宜変更設定することが可能であることになる。このようにして速度帰還型ＭＦＢと加速度帰還型ＭＦＢの各帰還量が可変されることで、速度帰還型ＭＦＢと加速度帰還型ＭＦＢの帰還量の組み合わせに応じて、スピーカユニット１６にて再生される音の聞こえ方にも変化が生じることになる。また、この速度帰還型ＭＦＢと加速度帰還型ＭＦＢの帰還量の組み合わせに応じた音の聞こえ方については、例えば第１例のアプリケーションのような速度帰還型ＭＦＢと加速度帰還型ＭＦＢとのオン／オフの組み合わせによる場合と比較すれば、より細分化して設定することができる。
【００５７】
例えば、同じオーディオソースであっても、映画などのビデオコンテンツの音と、ＣＤなどのオーディオコンテンツの音では、適している音響感は異なる。例えば、映画の音などは、迫力を得るために或る程度の残響感があったほうがよい。一方、オーディオコンテンツの音については、より忠実な再生が求められることから、映画の音のようには残響感が残らない方が好ましい。さらに、オーディオコンテンツのなかでも、例えば音楽のジャンルなどに応じて好ましいとされる音響感は異なってくるものと考えられる。
【００５８】
このようなことを考慮して、アプリケーションの第２例としては、次のようにして構成することとした。
先ず、再生するオーディオソースについての、映画、音楽などのコンテンツ種別、また、同じオーディオコンテンツにおけるジャンルごとに適する音響感が得られるとされる速度帰還型ＭＦＢと加速度帰還型ＭＦＢの帰還量の組み合わせ、つまり、ゲインコントロール部２１、２４のそれぞれに設定すべきゲイン値を予め決定しておくようにする。
そして、上記の決定内容に基づいて、例えば図９に示すようなゲイン−補正特性テーブルを作成し、これをデジタル信号処理部１０に保持させる。
図９においては、項目として、先ず大きくは映画と音楽とのコンテンツ種別に分けられている。さらに、音楽のコンテンツ種別においては、例えばロック、ジャズ、クラシックのようにしてジャンルで区分されている。そのうえで、上記の映画、ロック、ジャズ、クラシックの各項目に対して、速度帰還型ＭＦＢゲイン、加速度帰還型ＭＦＢゲイン、及びイコライザ補正特性が対応付けられている。
速度帰還型ＭＦＢゲインは、速度帰還型ＭＦＢに対応したゲインコントロール部２１に対して設定すべきゲイン値が示される。ここでは、映画、ロック、ジャズ、クラシックの項目ごとに対応してゲインコントロール部２１に設定すべきゲイン値が、それぞれa1,b1,c1,d1であるとして示されている。
同様に、加速度帰還型ＭＦＢゲインは、加速度帰還型ＭＦＢに対応したゲインコントロール部２４に対して設定すべきゲイン値が示される。ここでは、映画、ロック、ジャズ、クラシックの項目ごとに対応してゲインコントロール部２４に設定すべきゲイン値が、それぞれa2,b2,c2,d2であるとして示されている。
【００５９】
また、このようにして、速度帰還型ＭＦＢの帰還量と加速度帰還型ＭＦＢの帰還量、即ちゲイン値（フィードバックゲイン）の組み合わせを変更すれば、その組み合わせごとに得られるスピーカユニット１６の再生音の波数特性も変わる。従って、例えば先の説明のようにして、低域補正イコライザ１２により周波数特性がフラットとなるように補正しようとすれば、上記ゲイン値の組み合わせにより得られる周波数特性に対応させて、イコライザ補正特性を設定すべきことになる。図９のゲイン−補正特性テーブルにおけるイコライザ補正特性は、各項目のゲイン値の組み合わせに応じた周波数特性に対応して設定された、低域補正イコライザ１２のイコライジング特性を示している。
【００６０】
そのうえで、ユーザには、上記コンテンツ種別、ジャンルを選択する操作が行えるようにする。この図９のテーブルデータの内容に対応させた場合、操作としては、「映画」と、音楽のコンテンツ種別における「ロック」、「ジャズ」、「クラシック」との４つの選択肢のうちから１つを選択可能に構成することになる。
そして、ユーザ操作によりコンテンツ種別、ジャンルが選択されることに応じて、デジタル信号処理部１０は、ゲイン−補正特性テーブルから、選択されたコンテンツ種別若しくはジャンルに対応付けられている速度帰還型ＭＦＢゲイン、加速度帰還型ＭＦＢゲイン及びイコライザ補正特性を取得する。そして、取得した内容に従って、ゲインコントロール部２１、２４の各ゲイン値、及び低域補正イコライザ１２のイコライジング特性を変更設定する。
このようにして、第２例のアプリケーションは、再生対象となるオーディオソースのコンテンツ種別、ジャンルをユーザが選択指定することに応じて、選択されたコンテンツ種別、ジャンルに適合するＭＦＢの効き具合が自動的に設定されるようにしている。つまり、ユーザが指定したオーディオソースのコンテンツ種別、ジャンルに適合した再生音の音響感を得るために、ＭＦＢの効き具合を切り換えようとするものである。
【００６１】
なお、図９に示されるコンテンツ種別、ジャンルはあくまでも一例である。また、上記の第２例のアプリケーションの説明では、速度帰還型ＭＦＢと加速度帰還型ＭＦＢとを共にオンとしたうえで、コンテンツ種別、ジャンルごとに、各ゲイン値（帰還量）を変更設定することとしている。しかし、第２例においても、速度帰還型ＭＦＢと加速度帰還型ＭＦＢのオン／オフの組み合わせが併用されてよい。例えば速度帰還型ＭＦＢのみをオンとしたうえで、そのときのゲイン値を可変するような設定も可能である。
また、先の第１例のアプリケーションにおいても、例えばＭＦＢオフモード、第１ＭＦＢオンモード、第２ＭＦＢオンモードの選択操作に関して、例えば、第２例に準じたユーザインターフェースとすることも考えられる。つまり、ＭＦＢオフモード、第１ＭＦＢオンモード、第２ＭＦＢオンモードの選択肢ごとに、例えば音響感を表す表現であるとか、ジャンル、コンテンツ種別などの名称を割り当てるようにする。
【００６２】
また、これまでの説明においては、低域補正イコライザ１２のためのイコライザ補正特性については、目標周波数特性としてフラットであることを前提としたが、これも一例である。聴感上で良好な結果が得られるのであれば、フラット以外の目標周波数特性として、例えば低域を一定レベルによりブースト若しくはカットした特性をはじめ、任意の特性を設定してかまわない。
さらに、目標周波数特性は、ＭＦＢの動作モードや、帰還量の組み合わせに対して共通であるべき必要もない。例えばより好ましい音響感を得ることを目的として、意図的に、ＭＦＢの動作モード、帰還量の組み合わせごとに異なる目標周波数特性を設定してよい。
【００６３】
＜４．デジタルＭＦＢ：変形例＞
これまでにおいては、実施形態として、ブリッジ検出方式を基にして速度帰還型ＭＦＢと加速度帰還型ＭＦＢとを併用する構成について説明してきた。
ブリッジ検出方式は、ブリッジ回路１７により逆起電力を検出することから、例えばスピーカユニット１６の振動板などに物理的なセンサを設ける必要が無く、物理構造が複雑にならないという点で有利なことが知られている。
しかし、ＭＦＢにおける検出方式には、ブリッジ検出方式以外に、例えば、静電容量、レーザ変位計などにより、スピーカユニット１６の振動板の変位を検出する方式も知られている。
そこで、本実施形態のＭＦＢ信号処理系の変形例として、図２に示した構成に対して、さらに、変位検出を付加した構成例を、図１０に示しておく。なお、図１０において図２と同一部分には同一符号を付して説明を省略する。
【００６４】
図１０においては、先ず、スピーカユニット１６に対して振動板の変位を検出するための変位センサ２９が設けられる。この変位センサ２９は、例えば上記した静電容量、レーザ変位計などとされる。変位センサ２９にて振動板の変位を検出して得られるアナログの検出信号は、増幅回路２５により増幅されたうえで、ＡＤＣ２６によりデジタル信号に変換され、デジタル信号処理部１０に入力される。
【００６５】
この場合のデジタル信号処理部１０においては、さらに、ＬＰＦ２７、ゲインコントロール部２８を備える。ＡＤＣ２６から入力されてくるデジタルの変位検出信号は、ＬＰＦ２７を通過することで不要な高周波帯域成分除去され、ゲインコントロール部２８によりゲインが与えられて帰還信号として合成器１３に対して出力される。
この場合の合成器１３は、ゲインコントロール部２１からの速度帰還型に対応する帰還信号、ゲインコントロール部２４からの加速度帰還型に対応する帰還信号、及びゲインコントロール部２８からの変位検出方式（帰還方式としては、変位帰還方式とみることができる）に対応する帰還信号とを、それぞれ反転させて、低域補正イコライザ１２経由のオーディオ信号と合成することができる。
【００６６】
このような構成のもとでは、第１例のアプリケーションとしては、速度帰還型ＭＦＢ、加速度帰還型ＭＦＢ、及び変位検出に基づくＭＦＢとの間でオン／オフの組み合わせを切り換え、この組み合わせに応じて、低域補正イコライザ１２の補正特性も変更して設定することになる。
また、第２例のアプリケーションとの対応では、予め規定したコンテンツ種別、ジャンルに応じて、ゲインコントロール部２１，２４，２８の各ゲイン値の組み合わせを決定しておき、このゲイン値の組み合わせと、各組み合わせに応じて決まるイコライザ補正特性とにより、ゲイン−補正特性テーブルを形成することになる。
このように本実施形態としては、併用するＭＦＢの検出方式の数、また、検出方式の組み合わせの態様については特に限定されるべきではない。
また、同じ検出方式、帰還方式などに関しても、その検出のための構成、信号処理構成などは適宜変更されてよい。一例として、速度帰還型ＭＦＢに対応する速度検出としては、例えば検出コイルをスピーカユニット１６に設ける手法も知られている。また、加速度を検出したうえで、その検出信号を積分することによって速度検出の信号を得ることも可能である。また、加速度については、加速度センサであるとか、マイクロフォンによる音圧検出を採用することもできる。
【００６７】
＜５．フィードバックゲイン調整＞
［５−１．アナログ回路での調整］
ＭＦＢ信号処理系におけるフィードバックゲインについては、例えば、所望の帰還量が得られるようにしてゲイン値を設定することになる。ただし、同じゲイン値を設定したとしても、スピーカユニット自体が持つ特性のばらつき、また、振動板の動きの検出部位などのアナログ部品のばらつきなどにより、現実に得られる帰還量は異なる。そこで、例えば少なくとも工場出荷時などのユーザに手渡される前段階において、上記のばらつきを吸収して適切な現実の帰還量を得るためにフィードバックゲインの調整を行うことが好ましい。
【００６８】
そこで先ず、アナログ回路によるＭＦＢ信号処理系として、フィードバックゲイン調整を可能とした構成例を、図１９に示す。この図１９に示す構成は、先に図１５に示した構成を基としており、図１５と同一部分には同一符号を付して説明を省略する。
【００６９】
図１９においては、ゲイン調整ボリューム１０８の出力と、合成器１０２の入力段との間にスイッチＳＷ１を挿入している。また、低域補正イコライザ１０１の出力と合成器１０２の入力段との間にスイッチＳＷ２を挿入している。スイッチＳＷ１はオン／オフスイッチであり、スイッチＳＷ２は、端子tm1に対して端子tm2,tm3の何れかが接続されるようにして切り換えが行われる切り換えスイッチである。スイッチＳＷ２において、端子tm1は合成器１０２の入力段と接続され、端子tm2は低域補正イコライザ１０１の出力と接続される。また、端子tm3は、通常動作時に対応してはオープンとなっている。
【００７０】
通常動作時においては、図１９に示すように、スイッチＳＷ１はオンとし、スイッチＳＷ２については端子tm1に対して端子tm2を接続する。これにより、ＭＦＢ信号処理系としては、図１と同じクローズドループ回路が形成され、入力オーディオ信号は、低域補正イコライザ１２を経由して合成器１０２に出力される。つまり、通常にＭＦＢの信号処理を実行できる回路が形成される。
【００７１】
これに対して、フィードバックゲインを調整する際には、図２０に示すようにして、スイッチＳＷ１をオフとする。これにより、ゲイン調整ボリューム１０８の出力が合成器１０２には入力されなくなり、従って、オープンループを形成することになる。
また、スイッチＳＷ２については、端子tm1を端子tm3と接続するようにして切り換えたうえで、端子tm3には、フィードバックゲイン調整用の測定信号を入力する。これにより、オープンループのＭＦＢ信号処理系に対しては、オーディオソースのオーディオ信号に代えて、測定信号が入力される。なお、アナログ回路のＭＦＢ信号処理系に対応した測定信号としては、例えば測定対象の周波数帯域に対応した正弦波のスイープ信号であるとか、ホワイトノイズなどを用いることができる。
また、ゲイン調整ボリューム１０８の出力は、例えばモニタ信号として、測定用のモニタ装置に対して入力させる。
【００７２】
図２０に示す構成において、スイッチＳＷ２の端子tm3に入力させた測定信号は、パワーアンプ１０３、スピーカユニット１０４、ブリッジ回路１０５、検出／増幅回路１０６、ローパスフィルタ１０７、ゲイン調整ボリューム１０８を経由し、モニタ信号として得られる。
【００７３】
ここでの測定結果として、モニタ信号の周波数特性が図２１に示すものであったとする。このようにしてモニタ信号としては、低域共振周波数f0 = 80Hzにおいてピークが得られる特性を持つ。
一例として、ここではＭＦＢ信号処理系がクローズドループの状態で１２dBによるフィードバックを行うものとする。オープンループにおけるゲインは、クローズドループのフィードバック量（倍率）をαとするとα−１倍となる。そこで、この場合には、例えば調整作業者がモニタ信号を観測しながら、低域共振周波数f0 = 80Hzのピークについて、測定信号の３倍のパワー（レベル）となるようにして、ゲイン調整ボリューム１０８としての可変抵抗素子を、手動で調整する。
【００７４】
このようにして、アナログ回路によるＭＦＢ信号処理系の場合、フィードバックゲインの調整は、手動で行う必要がある。このために、全てのＭＦＢ信号処理系を備える装置ごとに、正確なフィードバックゲインの調整が行われるようにすることは難しい。
また、アナログ回路の場合には、例えば出荷前段階でのフィードバックゲイン調整の後、スイッチＳＷ１，ＳＷ２を図２０から図１９の状態に切り換えたうえで、例えば装置を組み立てるなどして出荷することになる。従って、通常、装置が一般ユーザにわたった段階では、フィードバックゲインの調整を行うことはできない。つまり、通常、フィードバックゲインの調整は製造段階に限られてしまう。仮に、装置について、一般のユーザがスイッチＳＷ１，ＳＷ２及びゲイン調整ボリュームの可変抵抗素子を簡単に操作できるようにしたとしても、調整には測定装置などが必要であり、相応の技術も必要になる。つまり、一般ユーザが調整可能にすることは好ましくない。
【００７５】
［５−２．デジタル回路での調整］
そこで、本実施形態としては、フィードバックゲインについて自動調整可能な構成を下記のようにして提案する。
【００７６】
図１１は、実施形態として、デジタル回路によるＭＦＢ信号処理系におけるフィードバックゲイン調整のための構成例を示している。なお、この図において、図１，図２と同一部分には同一符号を付して説明を省略する。また、本実施形態としては、図２等に示されるようにして、デジタル信号処理段において帰還方式の異なる複数の帰還制御系を備える構成を基礎とする。しかし、図１１は、説明を簡単で分かりやすいものとするために、図１に示した速度帰還型による１系統の帰還制御系のみを備える構成を基とした構成例としている。
【００７７】
デジタル回路による本実施形態のＭＦＢ信号処理系のもとで、フィードバックゲインを調整するのにあたっては、例えばＤＳＰであるデジタル信号処理部１０の信号処理動作について、図１１に示すようにして形成する。つまり、測定信号生成部３１，再生バッファ３２，ＬＰＦ２０、バッファ３３、ＦＦＴ部３４、逆ＴＳＰ処理／特性抽出部３５、ゲイン設定部３６を有するものとなるようにする。
この場合の測定信号生成部３１は、デジタル回路であることに対応して、測定信号として例えばＴＳＰ(Time Stretched Pulse)信号を生成する。つまり、ここでのフィードバックゲイン調整のための測定にあたっては、インパルス応答測定を利用する。測定信号生成部３１にて生成されたＴＳＰ信号は再生バッファ３２にて保持される。先ず、再生バッファ３２から読み出されたデータがデジタルのＴＳＰ信号とされ、デジタル信号処理部１０から出力される。このＴＳＰ信号は、ＤＡＣ１４によりアナログ信号とされたうえで、パワーアンプ１５にて増幅され、スピーカユニット１６のボイスコイルに供給される。このときのＴＳＰ信号に応じたスピーカユニット１６の振動板の動きは、ブリッジ回路１７にて検出され、検出／増幅回路１８から増幅された検出信号としてＡＤＣ１９に出力される。
ＡＤＣ１９は、入力されるアナログの検出信号をデジタルに変換して出力する。デジタル信号処理部１０においては、ＡＤＣ１９からのデジタルの検出信号についてＬＰＦ２０を通過させて不要な高周波帯域成分を除去する。バッファ３３では、ＬＰＦ２０を通過したＴＳＰ応答信号の取り込みを所定複数回実行して例えば平均値を算出し、ＦＦＴ部３４にわたす。
【００７８】
ＦＦＴ部３４では、平均化されたＴＳＰ応答信号について例えばＦＦＴ（First Fourier Transform）による周波数解析処理を実行する。また、逆ＴＳＰ処理／特性抽出部３５は、ＦＦＴ部３４からのデータに対して逆ＴＳＰ処理を実行する。これにより、オープンループのＭＦＢ信号処理系として、この場合には、速度帰還型の系を伝達した測定信号についての特性が得られることになる。
そこで、ゲイン設定部３６は、逆ＴＳＰ処理／特性抽出部３５により測定された周波数特性において示されるピークレベル（低域共振周波数f0）と、目標のピークレベルの値との差分に基づいて、フィードバックゲインを設定する。例えば、逆ＴＳＰ処理／特性抽出部３５により測定された周波数特性が示すピークレベルが-5dBであるのに対して、目標のピークレベルが9ｄBであるとすれば、フィードバックゲインは、9-(-5)=14dBとして求められる。
但し、図１１に示されるＭＦＢ信号処理系はオープンループとなっている。フィードバックゲイン設定のための測定はオープンループでなければ行えない。従って、ここまでの段階で求められるフィードバックゲインは、オープンループに対応した値となる。実際にＭＦＢ信号処理系によりＭＦＢをかける場合には、図１に示したクローズドループを形成するが、このときに目標ピークレベルとなるフィードバックゲイン、つまりクローズドループ時のフィードバックゲインは、上記オープンループ時のものに対して誤差を有する。
そこで、ゲイン設定部３６は、上記のようにして求めたオープンループ時のフィードバックゲイン値から、クローズドループ時のフィードバックゲイン値を求める。なお、ここでの演算式についての具体例については省略するが、クローズドループ時のフィードバックゲイン値は、上記のようにして求めたオープンループ時のフィードバックゲイン値を利用した演算によって一義的に求めることが可能である。
【００７９】
デジタル信号処理部１０は、上記のようにしてゲイン設定部３６により求められたクローズドループ時のフィードバックゲイン値を、ゲインコントロール部２１に設定すべきパラメータとして保持する。そして、実際にＭＦＢ信号処理系を動作させるときには、デジタル信号処理部１０は、例えば図１１との対応であれば、図１に示す信号処理系を形成する。そのときに、ゲインコントロール部２１に対して、保持しているフィードバックゲイン値を設定する。
【００８０】
上記のように本実施形態のフィードバックゲイン調整は、自動的に最適値が得られるようになっている。しかも、オープンループによる測定を行いながら、最終的にはクローズドループ時に対応するゲイン値を取得できるようになっている。
また、上記のようにして自動的にフィードバックゲインが調整可能であるということは、例えば、ユーザ操作などに応じてフィードバックゲイン値を調整可能なようにして構成することとしても、アナログ回路の場合のような不具合は生じないといえる。
そこで、本実施形態のＭＦＢ信号処理系を備える装置としては、ユーザ操作として、フィードバックゲイン値の調整を指示するための操作が行えるようにする。そして、フィードバックゲイン値の調整を指示する操作が行われたことに応じては、デジタル信号処理部１０は、先に図１１に示したオープンループの信号処理系を形成して測定を開始させて最終的にクローズドループ時のフィードバックゲイン値を求め、これを保持する。そして、以降においてＭＦＢ信号処理系を動作させるときには、この新たに保持されているフィードバックゲイン値を、ゲインコントロール部２１に対してセットする。
例えば、経時変化などにより、スピーカユニット１６の再生特性であるとか、アナログ部品の特性には変化が生じ得る。これらの特性に変化が生じれば、これに応じて、例えば、これまでに設定されていたゲイン値と、現実に最適となるゲイン値との間には誤差が生じてくる。上記のようにしてユーザ操作に応じて任意のときにフィードバックゲイン値を再調整可能なようにすれば、上記した経時変化にも対応して常に最適なフィードバックゲイン値を設定してＭＦＢを動作させることができる。
【００８１】
なお、実際において、図２，図１０のようにして、複数の帰還制御系を複合したＭＦＢ信号処理系の構成を採る場合には、それぞれの系ごとにクローズドループ時のフィードバックゲイン値を求めるようにすればよい。
例として図２に対応した構成であれば、図１１の構成に対して、さらに加速度帰還型のオープンループを追加して形成する。つまり、デジタル信号処理部１０において、先ず、図２に示した微分処理部２２、ＬＰＦ２３を設ける。この場合にも、微分処理部２２には、ＡＤＣ１９から出力されるデジタルの検出信号が分岐して入力させればよい。また、ＬＰＦ２３の後段に対しては、加速度帰還型に対応するものとして、さらに、バッファ３３，ＦＦＴ部３４、逆ＴＳＰ処理／特性抽出部３５、ゲイン設定部３６から成る系を、図１１に示した速度帰還型の系と併行して設けるようにする。これにより、速度帰還型に対応してゲインコントロール部２１に設定すべきゲイン値とともに、加速度帰還型に対応してゲインコントロール部２４に設定すべきゲイン値とが求められる。
また、図９のテーブルデータに対応したＭＦＢ制御のように、コンテンツ種別やジャンルの項目ごとに対応してゲイン値を可変する構成の場合には、項目ごとに対応してフィードバックゲイン値を求めることになる。この場合において、例えばオンとする帰還方式の信号処理系の組み合わせが同じものについては、そのうちで基本となる１つの信号処理系に対応したフィードバックゲイン値を測定により求める。次に、これ以外のものについては、例えば基本のフィードバックゲイン値に対するオフセット量、オフセット比率などを定めておいて、演算により求めるようにすることが考えられる。
【００８２】
＜６．イコライザ補正特性調整＞
［６−１．アナログ回路での調整］
ところで、上記のようにして、フィードバックゲイン値が調整可能である場合、フィードバックゲイン値が変更されたとしても、イコライジング特性がそのままでは、スピーカユニット１６の再生音の周波数特性が変わってしまうことになる。そこで、低域補正イコライザ１２の補正特性（イコライジング特性）についても、調整後のフィードバックゲイン値に応じて設定し直すことが必要になる。
【００８３】
そこで、例えば図１に示すアナログ回路によるＭＦＢ信号処理系については、次のようにしてイコライジング特性を設定することができる。
まずは、スピーカユニット１６にて再生される音を収音するためのマイクロフォンを設置し、低域補正イコライザ１０１についてはフラットな特性とした状態で、図１に示すＭＦＢ信号処理系をクローズドループにより動作させる。つまり、ＭＦＢをオンとする。そして、このＭＦＢがオンの状態の下で、マイクロフォンにて収音して得られる音声信号の周波数帯域を測定する。作業者は、測定される周波数特性を監視しながら、この測定される周波数特性が目標の周波数特性となるようにして、例えば手動で低域補正イコライザ１０１のイコライジング特性を変更する。
【００８４】
このようにして、イコライジング特性の調整としても、アナログ回路によるＭＦＢ信号処理系では、ＭＦＢをオンとした状態での手動により行う必要があり、測定装置も必要になってくる。従って、通常に考えれば、イコライジング特性の調整も、製造段階若しくは工場出荷前の段階で行うものであって、ユーザに調整可能なようにすることは適切ではない。
【００８５】
［６−２．デジタル回路での調整］
本実施形態に対応するイコライジング特性(イコライザ補正特性)の調整のための構成例を、図１２に示す。なお、この場合にも、説明の便宜上、速度帰還型の１系統のみによるＭＦＢ信号処理系を前提とした構成が示されている。なお、図１２において、図１１と同一部分には同一符号を付して説明を省略する。
図１２に示す構成は、図１１に示した構成に対して、イコライザ補正特性設定部３７及びゲイン保持部３８を追加したものとなる。この場合のパラメータ保持部３８は、パラメータとして、ゲインコントロール部２１に設定すべきクローズドループ時のフィードバックゲイン値βと、低域補正イコライザ１２に設定すべきイコライザ補正特性γを保持する。
イコライザ補正特性設定部３７は、ゲイン設定部３６により新たに求められたフィードバックゲイン値βnewと、パラメータ保持部３８に保持されるフィードバックゲイン値β、イコライザ補正特性γとにより、新たに求められたフィードバックゲイン値βnewに対応する新たなイコライザ補正特性γnewを求める。
【００８６】
図１３は、図１２に示すデジタル信号処理部１０が実行するとされるイコライザ補正特性設定のための処理をフローチャートにより示している。なお、この図に示すステップは、例えばゲイン設定部３６、イコライザ補正特性設定部３７のいずれかが適宜実行するものとしてみることができる。
先ず、ステップＳ１０１においてゲイン設定部３６は、オープンループ時に対応するフィードバックゲイン値αを測定し、さらに、ステップＳ１０２により、上記フィードバックゲイン値αを用いた演算により、新たなクローズドループ時のフィードバックゲイン値βnewを算出する。これらステップＳ１０１，Ｓ１０２の処理は、先に図１１により説明した手順により行えばよい。
【００８７】
続いて、イコライザ補正特性設定部３７は、ステップＳ１０３により、パラメータ保持部３８にて保持されている、フィードバックゲイン値βとイコライザ補正特性γを読み出す。
次にステップＳ１０４により、イコライザ補正特性設定部３７は、上記ステップＳ１０３にて読み出したフィードバックゲイン値β及びイコライザ補正特性γと、先にステップＳ１０２にて算出された新規のフィードバックゲイン値βnewとを利用した演算によって、新規のイコライザ補正特性γnewを算出する。
イコライザ補正特性γnewを算出するための演算式の具体例については説明を省略するが、その演算のアルゴリズムとしては、例えば先ず、新規のフィードバックゲイン値βnewと、これまでのフィードバックゲイン値βとの差分を求める。次に、例えばこの求められた差分に応じて生じていると推定される周波数特性の誤差を求める。この誤差が求められれば、誤差を補償するためのイコライザ特性の補正量も一義的に求められる。そして、これまでのイコライザ補正特性γに対してこの補正量に応じた特性の変更を与えるための演算を行えば、新たなイコライザ補正特性γnewが求められる。
【００８８】
次に、イコライザ補正特性設定部３７は、ステップＳ１０５により、上記のようにして新規に求めたイコライザ補正特性γnewを、以降においてパラメータ保持部３８にて保持させるべきイコライザ補正特性γとして設定する。同じく、このイコライザ補正特性γnewに対応するものとしてステップＳ１０２により求められたフィードバックゲイン値βnewを、以降においてパラメータ保持部３８にて保持させるべきフィードバックゲイン値βとして設定する。
【００８９】
このようにして、本実施形態では、フィードバックゲイン値を新たに設定したうえで、さらに、この新規に設定されたフィードバックゲイン値に応じたイコライザ補正特性についても設定することが可能とされている。つまり、フィードバックゲイン値に加えてイコライザ補正特性の自動調整が可能とされている。
【００９０】
なお、図２，図１０のようにして、複数の帰還制御系１〜ｎを複合したＭＦＢ信号処理系の構成を採る場合であるが、先ず、先にも述べたように、クローズドループ時のフィードバックゲイン値βnew(1)〜βnew(n)についてはそれぞれの系ごとに求めておくようにする。そのうえで、イコライザ補正特性設定部３７は、これら複数の系ごとに求められた新規のフィードバックゲイン値βnew(1)〜βnew(n)と、パラメータ保持部３８に保持されているフィードバックゲイン値β(1)〜β(n)とを用いて演算を実行する。この演算結果として、周波数特性の誤差、イコライザ特性の補正量が求められ、最終的にイコライザ補正特性γnewが求められる。
【００９１】
なお、工場出荷前の段階において最初に保持させるべきイコライザ補正特性をどのようにして設定するのかについてであるが、例えば装置ごとのばらつきに対応して厳密に設定しようとするのであれば、次のようにすればよい。
【００９２】
図１４は、最初のイコライザ補正特性調整に対応したＭＦＢ信号処理系の構成例を示している。なお、この図においては、例えば図２と同様のクローズドループによるＭＦＢ信号処理系が形成されている。そのうえで、デジタル信号処理部１０の外部にはマイクロフォン４１、マイクアンプ４２、ＡＤＣ４３が追加され、さらにデジタル信号処理部１０においては、バッファ４４、ＦＦＴ部４５、逆ＴＳＰ処理／特性抽出部４６、イコライザ補正特性設定部４７を追加して備える。
【００９３】
そして、イコライザ補正特性を設定する際には、先ず、ＡＤＣ１１に対して測定信号を入力させて、ＭＦＢ信号処理系を動作させる。ただし、このときには、低域補正イコライザ１２の補正特性はフラットとする。つまり、低域補正イコライザ１２をパスさせたのと同等とする。また、ゲインコントロール部２１のフィードバックゲイン値については先に調整しておくようにする。
【００９４】
マイクロフォン４１は、スピーカユニット１６からの再生音声が収音できるようにして設ける。これによりマイクロフォン４１によっては、測定信号をスピーカユニット１６により再生した音を収音した音声信号が得られる。この音声信号は、例えばマイクアンプ４２により増幅されたうえで、ＡＤＣ４３によりデジタル信号に変換されてデジタル信号処理部１０に入力される。
【００９５】
デジタル信号処理部１０において、デジタルの収音音声信号は、バッファ４４、ＦＦＴ処理部４５、逆ＴＳＰ処理／特性抽出部４６を経由することで、図１２のバッファ３３、ＦＦＴ処理部３４、逆ＴＳＰ処理／特性抽出部３５と同等の処理が施される。つまり、マイクロフォン４１により収音された測定音についての周波数特性が得られる。
イコライザ補正特性設定部４７は、この逆ＴＳＰ処理／特性抽出部３５により得られた周波数特性を目標周波数特性とするための補正量を求める。つまり、イコライザ補正特性γを求める。そして、このようにして求められたイコライザ補正特性γを、例えば図１２に示したパラメータ保持部３８に保持させておくようにする。
【００９６】
また、本実施形態としては、これまでに説明した構成に限定されるものではない。
例えばこれまでに説明したＭＦＢ信号処理系の構成においては、ＤＡＣ１４によりデジタル信号をアナログ信号に変換し、アナログ段のパワーアンプ１５により増幅してスピーカユニット１６を駆動するようにしている。しかし、例えばこの部位に関してはデジタルオーディオ信号を入力してスピーカユニットを駆動するＤ級アンプなどとされてもよい。
また、前述もしたように、ＭＦＢのために組み合わせるべき帰還方式、スピーカ振動板の動きを検出するセンサ、回路等の方式、及び組み合わせるべき数などについては、これまでに説明した構成に限定されるものではなく、適宜変更できる。
【符号の説明】
【００９７】
１０  デジタル信号処理部、１１  ＡＤＣ、１２  低域補正イコライザ、１３  合成器、１４  ＤＡＣ、１５  パワーアンプ、１６  スピーカユニット、１７  ブリッジ回路、１８  検出／増幅回路、１９  ＡＤＣ、２０・２３  ＬＰＦ、２１・２４  ゲインコントロール部、２２  微分処理部、３３  バッファ、３４  ＦＦＴ部、３５  逆ＴＳＰ処理／特性抽出部、３６  ゲイン設定部、３７  イコライザ補正特性設定部、パラメータ保持部３８
【図１】
2010288119.tif 000003
【図２】
2010288119.tif 000004
【図３】
2010288119.tif 000005
【図４】
2010288119.tif 000006
【図５】
2010288119.tif 000007
【図６】
2010288119.tif 000008
【図７】
2010288119.tif 000009
【図８】
2010288119.tif 000010
【図９】
2010288119.tif 000011
【図１０】
2010288119.tif 000012
【図１１】
2010288119.tif 000013
【図１２】
2010288119.tif 000014
【図１３】
2010288119.tif 000015
【図１４】
2010288119.tif 000016
【図１５】
2010288119.tif 000017
【図１６】
2010288119.tif 000018
【図１７】
2010288119.tif 000019
【図１８】
2010288119.tif 000020
【図１９】
2010288119.tif 000021
【図２０】
2010288119.tif 000022
【図２１】
2010288119.tif 000023